(57)【要約】【課題】シート状態から箱形状に組み立てるまでの組み立て作業がきわめて容易であり、かつ、空になれば折り畳んでコンパクトにして持ち運ぶことができる組み立て式ランチボックス。【解決手段】展開状態ではシート状になり、折り曲げながら組み立てることによってボックス形状となり、互いに重なり合う端面部となる板材６，７同士を形状保持用磁気吸着具２１，２２によって吸着させて固定し、同時に前側側面部となる板材１の外側に蓋部となる板材５を重ね、蓋閉め用磁気吸着具２３，２４によって吸着させることによりボックス形状を安定的に自己保持できるようにした組み立て式ランチボックス。【選択図】    図３
2017209120.tif 000002
【特許請求の範囲】
【請求項１】
前側側面部、背側側面部となる長方形の２枚の同形状の板材に対して、これらの間に同じ長辺長の長方形の底面部となる板材を配し、
前記背側側面部となる板材の前記底面部となる板材とは反対側の長辺側に前記底面部となる板材と同形状の天面部となる板材を配し、
前記底面部となる板材の両短辺側それぞれに内側端面部となる板材を配し、
前記天面部となる板材の両短辺側それぞれに外側端面部となる板材を配し、
前記天面部となる板材の前記背側側面部となる板材とは反対側の長辺側に前記前側側面部材となる板材と同形状の蓋部となる板材を配し、
前記９枚の板材の表面側、裏面側それぞれに繰り返し折り曲げに耐える外側シート材、内側シート材それぞれを貼り付け、
前記前側側面部となる板材と前記蓋部となる板材との組み立て時に対向する箇所それぞれに蓋閉め用磁気吸着具を取り付け、
前記内側端面部となる板材と前記外側端面部となる板材との組み立て時に対向する箇所それぞれに形状保持用磁気吸着具を取り付け、
展開状態ではシート状になり、折り曲げながら組み立てることによってボックス形状となり、互いに重なり合う端面部となる板材同士を前記形状保持用磁気吸着具によって吸着させて固定し、同時に前記前側側面部となる板材の外側に前記蓋部となる板材を重ね、前記蓋閉め用磁気吸着具によって吸着させることにより前記ボックス形状を自己保持できるようにしたことを特徴とする組み立て式ランチボックス。
【請求項２】
前記内側シート材、外側シート材のうち少なくとも内側シート材は保温性のものとしたことを特徴とする請求項１に記載の組み立て式ランチボックス。
【請求項３】
前記外側シート材の前記天面部となる板材の外側面に当たる場所には手提げ用の把手を取り付けたことを特徴とする請求項１又は２に記載の組み立て式ランチボックス。
【請求項４】
前記内側シート材の一部で、前記前側側面部、背側側面部、底面部、天面部それぞれとなる板材のうち少なくとも１の板材の内側となる部分に、保冷剤を収納するためのポケットを設けたことを特徴とする請求項１〜３のいずれかに記載の組み立て式ランチボックス。
【請求項５】
前記蓋部となる板材の長辺部のうち自由端縁となる長辺部に固定用ベルトの一端を接続し、当該固定用ベルトを前記組み立て状態のランチボックスの全周に回し、その自由端を当該固定用ベルトの始端部に固定具にて固定するようにしたことを特徴とする請求項１〜４のいずれかに記載の組み立て式ランチボックス。
【請求項６】
前記内側シート材、外側シート材のうち少なくとも内側シート材において、前記両内側端面部となる板材それぞれの前側の縦辺部に当たる部分と前記前側側面部となる板材の両短辺部それぞれに当たる部分との間に三角形状で中心線部分が内側に折れる連結片を設け、前記両外端面部となる板材それぞれの背側の縦辺部に当たる部分と前記背側側面部となる板材の両短辺部それぞれに当たる部分との間にも三角形状で中心線部分が内側に折れる連結片を設け、前記両内側端面部材それぞれを持ち上げ、前記連結片を内側に折ることによって、前記底面部となる板材の前後隣りに位置する前側側面部材、背側側面部材が共にボックス形状に組み上がるようにしたことを特徴とする請求項１〜５のいずれかに記載の組み立て式ランチボックス。
【発明の詳細な説明】
【技術分野】
【０００１】
本発明は、シート状の展開状態から折って組み立てることができる組み立て式ランチボックスに関する。
【背景技術】
【０００２】
従来、シート状の展開状態から予め決められた山折り部や谷折り部を折り曲げて四角な箱に組み立てる組み立て式の食品収納容器として、特許文献１（実新案登録第３１６１６５０号公報）の図８、図９に記載されたものが知られている。
【０００３】
この従来の組み立て式の食品収納容器では、合成樹脂製シートの予め決められた山折り部や谷折り部を折り曲げて四角な箱に組み立て、かつ、左右の側面部分を二重に重ね、かつ係止フックにて係止することにより仕上がり形状を安定に自己保持できるようにしている。
【０００４】
しかしながら、この従来例の場合、折り曲げて組み立てるまでの作業に手間がかかる問題点があった。
【先行技術文献】
【特許文献】
【０００５】
【特許文献１】実新案登録第３１６１６５０号公報
【発明の概要】
【発明が解決しようとする課題】
【０００６】
本発明は、上記従来の技術的課題に鑑みてなされたもので、シート状の展開状態から箱形に組み立てるまでの組み立て作業がきわめて容易であり、かつ、内容物を取り出した後の空箱を折り畳めば非常にコンパクトにして持ち運ぶことができ、内容物の保温性にも優れた組み立て式ランチボックスを提供することを目的とする。
【課題を解決するための手段】
【０００７】
本発明は、前側側面部、背側側面部となる長方形の２枚の同形状の板材に対して、これらの間に同じ長辺長の長方形の底面部となる板材を配し、前記背側側面部となる板材の前記底面部となる板材とは反対側の長辺側に前記底面部となる板材と同形状の天面部となる板材を配し、前記底面部となる板材の両短辺側それぞれに内側端面部となる板材を配し、前記天面部となる板材の両短辺側それぞれに外側端面部となる板材を配し、前記天面部となる板材の前記背側側面部となる板材とは反対側の長辺側に前記前側側面部材となる板材と同形状の蓋部となる板材を配し、前記９枚の板材の表面側、裏面側それぞれに繰り返し折り曲げに耐える外側シート材、内側シート材それぞれを貼り付け、前記前側側面部となる板材と前記蓋部となる板材との組み立て時に対向する箇所それぞれに蓋閉め用磁気吸着具を取り付け、前記内側端面部となる板材と前記外側端面部となる板材との組み立て時に対向する箇所それぞれに形状保持用磁気吸着具を取り付け、展開状態ではシート状になり、折り曲げながら組み立てることによってボックス形状となり、互いに重なり合う端面部となる板材同士を前記形状保持用磁気吸着具によって吸着させて固定し、同時に前記前側側面部となる板材の外側に前記蓋部となる板材を重ね、前記蓋閉め用磁気吸着具によって吸着させることにより前記ボックス形状を自己保持できるようにした組み立て式ランチボックスを特徴とする。
【０００８】
上記の組体式ランチボックスでは、前記内側シート材、外側シート材のうち少なくとも内側シート材は保温性のものとすることができる。
【０００９】
また上記の組み立て式ランチボックスでは、前記外側シート材の前記天面部となる板材の外側面に当たる場所には手提げ用の把手を取り付けたものとすることができる。
【００１０】
また上記の組み立て式ランチボックスでは、前記内側シート材の一部で、前記前側側面部、背側側面部、底面部、天面部それぞれとなる板材のうち少なくとも１の板材の内側となる部分に、保冷剤を収納するためのポケットを設けたものとすることができる。
【００１１】
また上記の組み立て式ランチボックスでは、前記蓋部となる板材の長辺部のうち自由端縁となる長辺部に固定用ベルトの一端を接続し、当該固定用ベルトを前記組み立て状態のランチボックスの全周に回し、その自由端を当該固定用ベルトの始端部に固定具にて固定するようにしたものとすることができる。
【００１２】
また上記の組体式ランチボックスでは、前記内側シート材、外側シート材のうち少なくとも内側シート材において、前記両内側端面部となる板材それぞれの前側の縦辺部に当たる部分と前記前側側面部となる板材の両短辺部それぞれに当たる部分との間に三角形状で中心線部分が内側に折れる連結片を設け、前記両外端面部となる板材それぞれの背側の縦辺部に当たる部分と前記背側側面部となる板材の両短辺部それぞれに当たる部分との間にも三角形状で中心線部分が内側に折れる連結片を設け、前記両内側端面部材それぞれを持ち上げ、前記連結片を内側に折ることによって、前記底面部となる板材の前後隣りに位置する前側側面部材、背側側面部材が共にボックス形状に組み上がるようにしたものとすることができる。
【発明の効果】
【００１３】
本発明の組み立て式ランチボックスでは、シート状に展開した状態から所定箇所を折り曲げることでボックス形状に簡単に組み立てて中に食品を収容することができ、またランチを済ませた後には再びシート状に展開し、さらに折り畳むことによって展開状態のほぼ半分の大きさのシート材にしてバッグに収容して持ち帰るといった使い方ができる。
【００１４】
また、ボックス形状に組み立てる際、内側端面部と外側端面部とを重ねると磁気吸着具同士が吸着し、同時に前側側面部と蓋部とを重ねると磁気吸着具同士が吸着し、組み上がったボックス形状を安定的に自己保持し、かつ蓋をすることもでき、ランチ携帯に便利な物とすることができる。
【図面の簡単な説明】
【００１５】
【図１】本発明の１つの実施の形態の組み立て式ランチボックスの展開状態の内面側の斜視図。
【図２】上記実施の形態の組み立て式ランチボックスの展開状態の外面側の斜視図。
【図３】上記実施の形態の組み立て式ランチボックスの組み立て時の中間状態を示す斜視図。
【図４】上記実施の形態の組み立て式ランチボックスの組み立て時の最後の蓋部を組み付ける前の状態の斜視図。
【図５】上記実施の形態の組み立て式ランチボックスの組み立て完成状態の斜視図。
【図６】上記実施の形態の組み立て式ランチボックスにおいて食品の出し入れのために蓋部を開いた状態の斜視図。
【図７】上記実施の形態の組み立て式ランチボックスにおいて食品の出し入れのために蓋部と共に前側側面部を開いた状態の斜視図。
【図８】上記実施の形態の組み立て式ランチボックスの折り畳み初めの状態を示す斜視図。
【図９】上記実施の形態の組み立て式ランチボックスの折り畳みの中間状態の斜視図。
【図１０】上記実施の形態の組み立て式ランチボックスの折り畳み完成状態の斜視図。
【図１１】本発明の第２の実施の形態の組み立て式ランチボックスの展開状態の内面側の斜視図。
【図１２】上記実施の形態の組み立て式ランチボックスの展開状態の外面側の斜視図。
【図１３】上記実施の形態の組み立て式ランチボックスの組み立て時の最後の固定用ベルトを縛る直前の状態の斜視図。
【図１４】上記実施の形態の組み立て式ランチボックスの組み立て完成状態の斜視図。
【図１５】本発明の第３の実施の形態の組み立て式ランチボックスの保冷剤ポケット取り付け状態を示す斜視図。
【発明を実施するための形態】
【００１６】
以下、本発明の実施の形態を図に基づいて詳説する。
【００１７】
［第１の実施の形態］図１、図２に示すように、実施の形態の組み立て式ランチボックス１００は、５枚の長方形状の板材１〜５をそれらの長辺同士の間に少しの隙間を空けて平行に配置し、同時にそれらの板材のうち底面部材となる板材２、天面部材となる板材４それぞれの左右の両短辺側に少しの隙間を空けて端面部材６，７を配置し、これら９枚の板材１〜７の全部を内側シート材１１、外側シート材１２にて挟み込むように接着したものである。
【００１８】
尚、板材の素材としては厚紙、プラスチック板を用いることができる。また、ここで「少しの隙間」とは、板材に厚みがあっても隣り合う板材の端縁同士を直角に突き合わせることができる程度の寸法を意味する。
【００１９】
以下、理解を容易にするために、これらの板材１〜７は、図１、図２において左端から右へ順に前側側面部材１、底面部材２、背側側面部材３、天面部材４、蓋部材５とする。また底面部材２の左右両側の端面部材は６とし、天面部材４の左右両側の端面部材は７とする。加えて、端面部材６，６と端面部材７，７とは組み立て状態で内外に重なり合うので内側端面部材６、外側端面部材７とする。
【００２０】
少なくとも内側シート材１１については、前側側面部材１の左右の短辺側それぞれと内側端面部材６，６の一方の縦辺側それぞれとを三角形状の連結片１３，１３にて連結し、同様に内側端面部材６，６の他方の縦辺側それぞれと背側側面部材３の左右の短辺側それぞれとも三角形状の連結片１４，１４にて連結するようにしている。
【００２１】
天面部材４にはその長手方向の中心線に沿い、持ち運ぶための把手１５が取り付けてある。また、内側端面部材６，６と外側端面部材７，７には組み立て時に内外に重なりあった状態を保持するために、互いに相対する箇所にボックス形状保持用磁気吸着具２１，２２を取り付け、同様に前側側面部材１と蓋部材５とにも組み立て時に内外に重なり合った状態を保持し、蓋が開かないようにするために、互い相対する箇所に蓋閉め用磁気吸着具２３，２４を取り付けている。
【００２２】
内側シート材１１は保温性と防水性を持つ素材としてアルミ蒸着のエンボス加工シートを用いている。外側シート材１２は防水性と耐久性、さらには模様を付けるのが容易な特性を持つ素材としてビニールシートを用いている。これらの素材は好ましいものであるが、同様の目的を満足させる他の素材であってもよい。
【００２３】
上記の構造を持つ組み立て式ランチボックス１００は、次のようにしてボックス形状に組み立てる。図１、図２に示すシート状に展開した状態から、図３に示すように、左右の内側端面部材６，６を垂直状態に立ち上げ、左右の連結片１３，１３、連結片１４，１４を内側に折り込む。これにより手前側の連結片１３，１３につられて前側側面部材１１が垂直に起き上がり、また奥側の連結片１４，１４につられて背側側面部材３も垂直に起き上がり、これらの部材により上面が開口するボックス部２０ができる。
【００２４】
背側側面部材３が垂直に起き上がると、上面開口のボックス部２０の形成と同時に、その長辺側に連結している天面部材４、天面部材４に連結している蓋部材５も引き起こされる。当然に天面部材４の左右両側の外側端面部材７，７も天面部材４と共に起こされる。
【００２５】
続いて、天面部材４を手前側に水平に引き倒すことにより、図４に示すように、前側側面部材１、底面部材２、左右の内側端面部材６，６、背側側面部材３にて形成されている上面開口のボックス部２０をこの天面部材４が上から閉塞し、蓋部材５が手前側に垂れ下がるようになる。このときには、内側端面部材６，６それぞれの外側に外側端面部材７，７が重なり合い、ボックス形状保持用磁気吸着具２１，２２が吸着し合い、ボックス部２０はその形状を安定的に保持できるようになる。
【００２６】
最後には蓋部材５を前側側面部材１の前側に重ね合わせることによって、図５に示すようにランチボックス１００が完成する。この状態では、蓋閉め用磁気吸着具２３，２４が吸着し合い、蓋部材５を前側側面部材１に重なった状態を安定させ、ランチボックス１００の形状も安定させることになる。
【００２７】
次に、図５の状態に組み立てた組み立て式ランチボックス１００に対してランチ食材を収容して持ち運び、またそこから取り出す際の扱い方について説明する。図６、図７に示すように、底面部材２を机上に置いてランチボックス１００を安定させた状態にし、蓋部材５を手前から上側に引き上げ、続いて、前側側面部材１を手前から水平に引き倒す。これにより、底面部材２を下にして、収容空間３０にランチ食材を入れ、またその収容空間３０に入っているランチ食材を手前に取り出すことができるようになる。
【００２８】
次に、ランチを済ませ、当該組み立て式ランチボックス１００を折り畳む場合の手順を説明する。図５に示すように組み立てられた組み立て式ランチボックス１００をいったん、図１、図２に示すように元のシート状の展開状態に戻す。続いて、図８に示すように、左右の内側端面部材６，６と外側端面部材７，７を内側に折り込む。このときには、左右の手前側の連結片１３，１３も奥側の連結片１４，１４も内側に折り込まれる。
【００２９】
続いて図９に示すように、手前の２枚の部材、つまり前側側面部材１と底面部材２とを展開した状態のまま、背側側面部材３と天面部材４との上に折り重ねる。そして最後に図１０に示すように、残っている蓋部材５を前側側面部材１の上に重なるように折り畳む。これにより、元の図１に示した展開状態から２／５以下の面積に嵩を低くすることができ、用済みとなった組み立て式ランチボックス１００の持ち帰りが容易になる。
【００３０】
以上のように本発明の実施の形態の組み立て式ランチボックス１００では、シート状の展開状態から極めて簡単な組み立て作業によって比較的頑丈なボックス形状に組み立てることができ、またランチ食材の出し入れも容易であり、その上、用済みとなれば元のシート状の展開状態よりもさらにコンパクトにして持ち運びができ、ランチボックスとして実用上極めて便利なものである。
【００３１】
［第２の実施の形態］図１１〜図１４を参照して第２の実施の形態の組み立て式ランチボックスについて説明する。第２の実施の形態の組み立て式ランチボックス１００Ａは、図１、図２に示した第１の実施の形態の組み立て式ランチボックス１００に対して固定用ベルト３０を設けたことを特徴とする。その他、第１の実施の形態では前側側面部材１と蓋部材５とのそれぞれの中心近くに１カ所ずつ設けていた磁気吸着具２３，２４については、固定用ベルト３０の両側それぞれに位置するように２カ所ずつに設ける設計変更もしている。尚、第２の実施の形態の組み立て式ランチボックス１００Ａのその他の構成要素は図１〜図１０に示した第１の実施の形態の組み立て式ランチボックス１００と共通し、同一の符号を付すことによって詳しい説明は省略している。
【００３２】
上記の固定用ベルト３０は、その一端部（始端部）を蓋部５の自由端となる長辺部の端縁に縫い込み、全長は図５に示すようにランチボックスとして組み立てた状態で全周を回り、かつさらに先端部が始端部に重なる長さにしてある。
【００３３】
図１３に詳しく示すように、固定用ベルト３０の始端部の表側には面ファスナーの面受け部３１が取り付けてあり、固定用ベルト３０の先端部の裏面側には面ファスナーの面係止部３２が取り付けてある。そこで、組み立て式ランチボックス１００Ａを図１３のように折り曲げて組み立て、固定用ベルト３０を胴体に一周するように回し、その始端部の面受け部３１に先端部の面係止部３２を押さえつける。これにより、図１４に示すように、組み立て式ランチボックス１００Ａの組み上げた状態でさらに固定用ベルト３０がボックスの胴体全周を回り、先端部同士が係着してボックス１００Ａを緩みなく縛るようになる。
【００３４】
本実施の形態の組み立て式ランチボックス１００Ａによれば、固定用ベルト３０を採用したことにより、組み立て式ランチボックス１００Ａとして組み立てた状態で固定用ベルト３０によってその胴体全周を緊縛して固定することができ、持ち運び時にボックス１００Ａの蓋部材５が知らずに開く恐れがさらに少なくなり、信頼感が向上する。
【００３５】
尚、本実施の形態において、先端部同士を表裏から固定する手段としては上記の面ファスナーに限らず、例えば、ボタンとホックの組合せであってもよいし、磁気吸着具を用いることもできし、さらにはバックル式のものを用いることもできる。また、本実施の形態の組み立て式ランチボックス１００Ａでは、後述する第３の実施の形態の特徴である保冷剤ポケット４０を該当する箇所に採用することも可能である。
【００３６】
［第３の実施の形態］図１５を用いて本発明の第３の実施の形態の組み立て式ランチボックス１００Ｂについて説明する。本実施の形態の特徴は、第１の実施の形態の組み立て式ランチボックス１００に対して、その天面部材４の内側面に保冷剤を収容するための保冷剤用ポケット４０を取り付けた点にある。したがって、その他の構成は図１〜図１０に示した第１の実施の形態の組み立て式ランチボックス１００と共通し、同一の符号を付すことによって詳しい説明は省略する。
【００３７】
本実施の形態の組み立て式ランチボックス１００Ｂでは、特に夏場では密閉空間に食品を収容しておくと高温高湿になるのを防ぎ、腐敗しないように内部を低温に保つために、保冷剤ポケット４０に必要量の保冷剤を収納できる特長がある。
【符号の説明】
【００３８】
１  前側側面部材
２  底面部材
３  背側側面部材
４  天面部材
５  蓋部材
６  内側端面部材
７  外側端面部材
１１  内側シート材
１２  外側シート材
１３  連結片
１４  連結片
１５  把手
２１，２２  形状保持用磁気吸着具
２３，２４  蓋閉め用磁気吸着具
３０  固定用ベルト
４０  保冷剤ポケット
【図１】
2017209120.tif 000003
【図２】
2017209120.tif 000004
【図３】
2017209120.tif 000005
【図４】
2017209120.tif 000006
【図５】
2017209120.tif 000007
【図６】
2017209120.tif 000008
【図７】
2017209120.tif 000009
【図８】
2017209120.tif 000010
【図９】
2017209120.tif 000011
【図１０】
2017209120.tif 000012
【図１１】
2017209120.tif 000013
【図１２】
2017209120.tif 000014
【図１３】
2017209120.tif 000015
【図１４】
2017209120.tif 000016
【図１５】
2017209120.tif 000017